(57)【特許請求の範囲】
【請求項１】
被検眼を照明する照明系と、
被検眼を観察する観察系及び該観察系に取り付けられる撮像機器を支持する支持アームと、
前記照明系、観察系及び支持アームを突出軸筒部上で各々回動可能に支持する基台と、
この基台を支持する架台と、
被検者の被検眼固定用の顎受け台と、
前記架台が設置され、前記顎受け台が端部に取り付けられるテーブルとを備えるとともに、一端が前記撮像機器に接続され、他端がテーブル下側に導出されて前記撮像機器と画像処理系又は制御系との電気的接続を行うケーブル類を使用する眼科装置において、
前記撮像機器に接続されるケーブル類を、前記支持アームの表側に設けた着脱カバー付の収容溝内を経て、架台から顎受け台側に突出する基台の突出軸筒部に設けたケーブル穴、顎受け台のケーブル穴及びテーブルに設けたケーブル穴を経てテーブル下方に挿通させるケーブル通過処理路を設けたことを特徴とする眼科装置。
【請求項２】
前記支持アームの表側に設けたケーブル類の収容溝をカバーする着脱カバーには、観察系に付加される撮像機器の配置及びケーブル接続位置に対応して前記支持アーム表側の左側位置又は右側位置にケーブル通過口が設けられていることを特徴とする請求項１記載の眼科装置。
【請求項３】
前記基台の突出軸筒部に設けたケーブル穴は、突出軸筒部の筒部分の外周に沿って開口させた角部が滑らかな変形長穴状に形成され、前記基台に対する観察系及び撮像機器の回動状態に応じた収容溝下側のケーブル類の位置変動を滑らかな角部にて規制することを特徴とする請求項１又は請求項２記載の眼科装置。
【請求項４】
前記ケーブル類は、電源ケーブル、画像モニターケーブル、信号伝送ケーブルであることを特徴とする請求項１乃至請求項３のいずれかに記載の眼科装置。
【発明の詳細な説明】
【０００１】
【発明の属する技術分野】
本発明は、例えば細隙灯顕微鏡のような眼科装置に関するものである。
【０００２】
【従来の技術】
従来、眼科分野で使用される眼科装置の一種として、細隙灯顕微鏡がある。
【０００３】
このような細隙灯顕微鏡では、テーブル上に設置した架台にて支持した照明系により、テーブル端に立設した顎受け台に顎を載せて固定される被検眼に対してスリット状の照明光、即ち細隙光と被検眼全体を照明する背景照明光を照射し、同じく架台上に支持アームを介して水平方向に回動可能に支持した観察光学系により被検眼の細隙像（例えば角膜断面像）を観察するとともに、観察光学系に取り付けたビデオカメラ等の撮像機器を用いて被検眼の細隙像及び全体像を撮像し画像処理装置等を用いて画像化することが行われている。
【０００４】
この場合、当然のことながら撮像機器を動作させ、被検眼の画像を画像処理装置等に伝送するために電源ケーブル、信号伝送ケーブル等のケーブル類を撮像装置と、電源供給を行う電源部、画像処理を行う画像処理装置等との間に亙って電気的に接続することが必要になる。
【０００５】
【発明が解決しようとする課題】
しかしながら、従来の細隙灯顕微鏡においては、ケーブル類の接続を伴う撮像機器を使用する場合において、ケーブル類用のケーブル通過処理路に関しては格別の対策は講じられておらず、一端が撮像機器に接続されたケーブル類を、観察光学系、架台に沿って露出配線状態で通過させ、テーブル端に立設した顎受け台の下部、即ち、前記被検者の近傍を経てテーブル下側に導き、画像処理装置等に接続するようにしている。
【０００６】
このため、観察系においてケーブル類の接続を伴う撮像機器を使用する場合において、ケーブル類が露出配線状態のため、検者が観察系を水平方向に回動させて被検眼に対する観察位置を変更する場合にケーブル類が観察系に接触してしまい検者側の操作性を低下させてしまう。
【０００７】
また、被検者に取っても自己の顎を載せている顎受け台の下部領域でケーブル類が露出状態となっているため、ケーブル類が膝等に接触し、煩雑感、不快感が生じるという問題あった。
【０００８】
さらに、細隙灯顕微鏡全体としてもケーブル類の露出配線のために雑然とした外観体裁となってしまうという問題があった。
【０００９】
本発明は、上記事情に鑑みてなされたものであり、観察系において撮像機器を使用する場合におけるケーブル類のケーブル通過処理路に新規な工夫を施し、検者側の操作性の向上、被検者側の煩雑感、不快感の低減、装置全体としての外観体裁の向上を図った眼科装置を提供することを目的とするものである。
【００１０】
【課題を解決するための手段】
上記課題を解決するために、本発明は、被検眼を照明する照明系と、被検眼を観察する観察系及び該観察系に取り付けられる撮像機器を支持する支持アームと、前記照明系、観察系及び支持アームを突出軸筒部上で各々回動可能に支持する基台と、この基台を支持する架台と、被検者の被検眼固定用の顎受け台と、前記架台が設置され、前記顎受け台が端部に取り付けられるテーブルとを備えるとともに、一端が前記撮像機器に接続され、他端がテーブル下側に導出されて前記撮像機器と画像処理系又は制御系との電気的接続を行うケーブル類を使用する眼科装置において、前記撮像機器に接続されるケーブル類を、前記支持アームの表側に設けた着脱カバー付の収容溝内を経て、架台から顎受け台側に突出する基台の突出軸筒部に設けたケーブル穴、顎受け台のケーブル穴及びテーブルに設けたケーブル穴を経てテーブル下方に挿通させるケーブル通過処理路を設けたことを特徴とするものである。
【００１１】
本発明によれば、支持アームの表側に設けた着脱カバー付の収容溝内を経て、架台から顎受け台側に突出する基台の突出軸筒部に設けたケーブル穴、顎受け台のケーブル穴及びテーブルに設けたケーブル穴を経てテーブル下方に挿通させるケーブル通過処理路を設けているので、観察系において撮像機器を使用する場合において、撮像機器に接続されるケーブル類を、支持アームの表側に設けた着脱カバー付の収容溝内に収め、さらに基台の突出軸筒部に設けたケーブル穴、顎受け台のケーブル穴及びテーブルに設けたケーブル穴を経てテーブル下方に導き、撮像機器に接続される機器に接続することができる。
【００１２】
この結果、検者側に撮像機器に接続されるケーブル類が露出ことがなく、検者の操作性の向上を図ることができる。また、顎受け台のケーブル穴及びテーブルに設けたケーブル穴をケーブル類が通過する構成であるため、被検者の膝等の体の一部にケーブル類が接触することがなくなり、被検者の煩雑感、不快感を低減できる。また、装置全体としてもケーブル通過処理路によるケーブル類の処理によって、ケーブル類の処理がすっきりとした状態となるため外観体裁の向上を図ることができる。
【００１３】
請求項２記載の発明は、請求項１記載の発明において、前記支持アームの表側に設けたケーブル類の収容溝をカバーする着脱カバーには、観察系に付加される撮像機器の配置及びケーブル接続位置に対応して前記支持アーム表側の左側位置又は右側位置にケーブル通過口が設けられていることを特徴とするものである。請求項２記載の発明によれば、観察系に付加される撮像機器の配置及びケーブル接続位置に対応して位置が異なるケーブル通過口を有する着脱カバーを選定することで、種々の撮像機器に対応したケーブル処理を行うことができる。
【００１４】
請求項３記載の発明は、請求項１又は請求項２記載の発明において、前記基台の突出軸筒部に設けたケーブル穴は、突出軸筒部の筒部分の外周に沿って開口させた角部が滑らかな変形長穴状に形成され、前記基台に対する観察系及び撮像機器の回動状態に応じた収容溝下側のケーブル類の位置変動を滑らかな角部にて規制することを特徴とするものである。
【００１５】
請求項３記載の発明によれば、基台に対する観察系及び撮像機器の回動状態に応じた収容溝下側のケーブル類の位置変動を基台の突出軸筒部に設けたケーブル穴の滑らかな角部にて規制するものであるから、基台に対する観察系及び撮像機器の回動時におけるケーブル類の折れ曲がり、損傷を防止することができる。
【００１６】
請求項４記載の発明は、請求項１乃至請求項３のいずれかに記載の発明において、前記ケーブル類は、電源ケーブル、画像モニタケーブル、信号伝送ケーブルであることを特徴とするものである。
【００１７】
請求項４記載の発明によれば、電源ケーブル、画像モニタケーブル、信号伝送ケーブルを使用する撮像機器を使用する場合において、上述した各々発明の作用を発揮させることができる。
【００１８】
【発明の実施の形態】
以下に、本発明の実施の形態を説明する。図１に示す本実施の形態の眼科装置である細隙灯顕微鏡１は、検眼用のテーブル２上において移動機構部３により水平横方向及び水平縦方向に移動可能に支持されている架台１１と、この架台１１により垂直上下方向に支持された基台４と、傾倒操作により前記架台１１を水平横方向及び水平縦方向に変位させる操作ハンドル５と、前記基台４の突出軸筒部４ａにより各々水平方向に回動可能に支持された光源部６ａ、プリズム１２等を有する照明系６、被検眼Ｅを観察する観察系７と、この観察系７の対物レンズを収納した鏡筒本体９に対峙させた被検者用の顎受部１０ａ、額当て１０ｂ及び前記テーブル２に取り付ける基部１０ｃを有する顎受け台１０とを具備している。観察系７は前記基台４の突出軸筒部４ａにより軸支した側面略逆Ｌ状の支持アーム１４により支持されている。
【００１９】
また、前記鏡筒本体９には、図２に示すように円形外周を有するカメラアタッチメント１６を介して例えばビデオカメラのような撮像機器１３が取り付けられるようになっている。
【００２０】
前記テーブル２の下面側には光源部６ａに電力供給を行う電源ボックス１５が配置されている。
【００２１】
また、細隙灯顕微鏡１とは別に、被検眼Ｅの画像の画像処理を行う画像処理装置（コンピュータ装置）２０、被検眼Ｅの画像をモニタする画像モニタ２１、撮像機器１３用の電源装置２２が配置されている。
【００２２】
そして、撮像機器１３と画像処理装置２０とは信号伝送ケーブル２３により、撮像機器１３と画像モニタ２１とは画像モニタケーブル２４により接続され、さらに撮像機器１３と電源装置２２とは電源ケーブル２５により接続される。
【００２３】
前記細隙灯顕微鏡１には、図１に点線で示すように、上述した３種のケーブル類を収納、通過させるケーブル通過処理路６０が設けられている。
【００２４】
このケーブル通過処理路６０について図３乃至図１４を参照して以下に説明する。ケーブル通過処理路６０は、前記３種のケーブル類を、前記支持アーム１４の表側（検者側）に設けた着脱カバー６１付の収容溝１４ａ（図５参照）内を経て、架台１１から顎受け台１０側に突出する基台４の突出軸筒部４ａに設けたケーブル穴７１（図９、図１０参照）、顎受け台１０の基部１０ｃに設けたケーブル穴７２（図１１、図１２参照）及び前記テーブル２に設けたケーブル穴７３（図１６参照）を経てテーブル２の下方に挿通させるように構成している。
【００２５】
前記ケーブル通過処理路６０を構成する支持アーム１４の収容溝１４ａ、着脱カバー６１について図３乃至図６を参照して説明する。
【００２６】
着脱カバー６１は、支持アーム１４の表側上部に取り付ける上カバー６２と、支持アーム１４の表側下部に取り付ける下カバー６３との２個構成となっており、図３は上カバー６２、下カバー６３を支持アーム１４の表側に取り付けた状態を、図４は上カバー６２のみを支持アーム１４の表側に取り付けた状態を、図５は上カバー６２、下カバー６３双方を支持アーム１４に取り付ける前の状態を、図６は支持アーム１４の表側の収容溝１４ａ及び上カバー６２用の受具６３を各々示すものである。
【００２７】
支持アーム１４の収容溝１４ａは、略逆Ｌ状の支持アーム１４の肉厚部を表側からその形状にしたがって、かつ、前記基台４の突出軸筒部４ａの近傍位置から、支持アーム１４の垂直立ち上がり部分の所定の位置に亙る範囲に刳り抜いて形成され、前記信号伝送ケーブル２３、画像モニタケーブル２４、電源ケーブル２５からなるケーブル類を収容溝１４ａ内に収容可能となっている。
【００２８】
また、前記収容溝１４ａの外周部全体に亙って、下カバー６３を取り付け、かつ、後述する上カバー６２用の受具６５を取り付けるための受段部１４ｂが支持アーム１４の表面から内方に向けて下カバー６３の厚さに相当する深さで形成されている。
【００２９】
前記上カバー６２用の受具６５は、図６に示すように、平面形状が略Ｔ状で、前記受段部１４ｂの上辺部にネジ６６を用いてネジ止めされる取付辺部６５ａと、支持アーム１４の表面に接合する接合部６５ｂと、この接合部６５ｂの上部両端から各々側方に突出する一対の上カバー受け片６５ｃ、６５ｄとを全体として平面形状が略Ｔ状を呈するように形成している。
【００３０】
一対の上カバー受け片６５ｃ、６５ｄは、前記接合部６５ｂから上カバー６２の裏面後方へ離隔するようにＬ状に折り曲げ形成されており、上カバー６２の裏面後方から見た形状が長方形を呈するようになっている。
【００３１】
そして、一対の上カバー受け片６５ｃ、６５ｄに対して上カバー６２を嵌め付けることで、上カバー６２を支持アーム１４の裏面側に取り付け固定する。このとき図示しない弾性板片により上カバー６２の後述する係合片６２ｆを押圧し上カバー６２のガタ付きを防止するように構成してもよい。
【００３２】
前記支持アーム１４の表側上部に取り付ける上カバー６２は、図５に示すように、支持アーム１４側が開口した略直方体形状を呈する箱型状に形成され、長方形状の背板６２ａと、この背板６２ａから各々９０度の角度で折り曲げた両側辺６２ｃ、６２ｄと、両側辺６２ｃ、６２ｄの突出端縁に沿って互いに向き合うように内方に折り曲げた係合片６２ｅ、６２ｆと、背板６２ａの下端に形成した位置規制突片６２ｂと、前記一方の側辺６２ｃの上部に設けたケーブル通過口６２ｇとを具備している。また、背板６２ａの上辺部６２ｈは、前記カメラアタッチメント１６の外周形状に対応して円弧状に形成している。
【００３３】
前記上カバー６２はケーブル通過口６２ｇを図５において左側位置に形成しているが、この他、図７に示すように、ケーブル通過口６２ｇを左側位置に形成した上カバー６２’とすることもできる。これら上カバー６２、上カバー６２’は観察系における撮像機器１３の配置及びケーブル接続位置に対応して最適なものを選択使用するものである。
【００３４】
支持アーム１４の表側下部に取り付ける下カバー６３は、図５に示すように、支持アーム１４の表側から受段部１４ｂに取り付けられ前記収容溝１４ａに収容するケーブル類を覆うものである。下カバー６３の受段部１４ｂに対する取り付けは、下カバー６３を受段部１４ｂに当接させ、下カバー６３の一方の辺部近傍に設けたネジ穴６３ｅにネジ６７を挿通して受段部１４ｂの対応位置に設けたネジ穴にネジ６７を捩じ込むことで行う。
【００３５】
また、前記下カバー６３の一端６３ａ側は、基台４の突出軸筒部４ａの近傍位置で収容溝１４ａから基台４側へのケーブル類の通過を妨げない位置までの寸法としている。
【００３６】
前記下カバー６３の他端６３ｂ側には、図５に示すように、一対の位置規制突出片６３ｃ、６３ｄが形成され、下カバー６３を受段部１４ｂに取り付けた後、上カバー６２を取り付ける際に、一対の位置規制突出片６３ｃ、６３ｄが前記位置規制突片６２ｂを挟み込む状態で上カバー６２の下側の位置規制を行うようになっている。
【００３７】
次に、図８乃至図１１を参照して、ケーブル通過処理路６０を構成する基台４の突出軸筒部４ａに設けたケーブル穴７１について説明する。
【００３８】
図８に示すように前記基台４の突出軸筒部４ａに設けたケーブル穴７１は、図９に示すように、突出軸筒部４ａの筒部分の外周に沿って開口した変形長穴状となっている。このケーブル穴７１は、４箇所の角部７１ａ、７１ｂ、７１ｃ、７１ｄのいずれもが、図１０に拡大して示すように、滑らかに湾曲形成され、前記基台４に対する観察系７及び撮像機器１３の回動状態に応じた収容溝１４ａの下側のケーブル類の位置変動時に、滑らかな角部７１ａ乃至７１ｄ、特に角部７１ａ、７１ｂにてケーブル類に損傷や折れ曲がりが生じないように位置規制するものである。図１１は前記観察系７及び撮像機器１３を支持する支持アーム１４を被検眼Ｅに対して左側に回動させた状態を示すものであり、この場合には、ケーブル類はケーブル穴７１の角部７１ａ側に位置変動し、この角部７１ａにより損傷や折れ曲がりが生じないように位置規制される。逆に、支持アーム１４を被検眼Ｅに対して右側に回動させた状態では図示していないがケーブル類はケーブル穴７１の角部７１ｂ側に位置変動し、この角部７１ｂにより位置規制される。
【００３９】
次に、図１２乃至図１６を参照して、ケーブル通過処理路６０を構成する顎受け台１０の基部１０ｃに設けた前記ケーブル類を通過させるケーブル穴７２及び前記テーブル２に設けた前記ケーブル類を通過させるケーブル穴７３について説明する。
【００４０】
前記顎受け台１０の基部１０ｃは略直方体状で、両端部に支柱１０ｄ、１０ｅの下端部が挿通される受筒部１０ｆ、１０ｇを有するとともに、基部１０ｃの中央部に、両端部分を半円状とした長穴形状のケーブル穴７２を設けている。このケーブル穴７２の外周は、図１２、図１３及び図１５に示すように、架台１１側が小寸法の板厚部７２ａ、被検者側が大寸法となる板厚部７２ｂを有する上面から見て段違い構造を有し、かつ、架台側の板厚部７２ａの部分の上面形状は、図１２、図１３に示すように、両端部方向に向けて弧状に拡開する拡開部７２ｃ、７２ｄとなっている。拡開部７２ｃ、７２ｄのこのような形状により、架台１１がテーブル２上で左右方向に操作され、ケーブル類の位置が左右に変動する状態でも前記ケーブル類に損傷や折れ曲がりが生じることを防止している。前記基部１０ｃには、さらに光量調整用ケーブル２７用の通過穴２８が設けられている。
【００４１】
前記テーブル２に設けたケーブル穴７３は、図１６に示すように、前記ケーブル穴７２の形状に対応して両端部分を半円状とし長穴形状で同寸法となるようにに形成している。また、前記テーブル２にも光量調整用ケーブル２７用の通過穴２９が設けられている。
【００４２】
尚、図示していないが、前記顎受け台１０の基部１０ｃ、前記テーブル２の被検者側の端辺部に、ケーブル穴７２、ケーブル穴７３を設ける替わりに、ケーブル類が収まる大きさで角のない凹溝部を各々設ける構成も可能である。この場合には、ケーブル類のケーブル穴への挿通作業が不要となる利点がある。
【００４３】
上述した構成によれば、支持アーム１４の表側に設けた着脱カバー６１付の収容溝１４ａ内を経て、架台１１から顎受け台１０側に突出する基台４の突出軸筒部４ａに設けたケーブル穴７１、顎受け台１０のケーブル穴７２及びテーブル２に設けたケーブル穴７３を経てテーブル２の下方に挿通させるケーブル通過処理路６０を設けているので、観察系７において撮像機器１３を使用する場合において、撮像機器１３に接続されるケーブル類を、支持アーム１４の表側に設けた着脱カバー６１付の収容溝１４ａ内に収め、さらに基台４の突出軸筒部４ａに設けたケーブル穴７１、顎受け台１０のケーブル穴７２及びテーブル２に設けたケーブル穴７３を経てテーブル２の下方に導き、撮像機器１３に接続される各種機器に接続することができる。
【００４４】
この結果、検者側に撮像機器１３に接続されるケーブル類が露出ことがなく、検者の操作性の向上を図ることができる。また、顎受け台１０のケーブル穴７２及びテーブル２に設けたケーブル穴７３をケーブル類が通過する構成であるため、被検者の膝等の体の一部にケーブル類が接触することがなくなり、被検者の煩雑感、不快感を無くし又は低減できる。また、装置全体としてもケーブル通過処理路６０によるケーブル類の処理によって、ケーブル類の処理がすっきりとした状態となるため外観体裁の向上を図ることができる。
【００４５】
また、観察系７に付加される撮像機器１３の配置及びケーブル接続位置に対応して位置が異なるケーブル通過口６２ｇを有する着脱カバー６１の一つである上カバー６２を選定することで、種々の撮像機器１３に対応したケーブル処理を行うことができる。
【００４６】
次に、図１７乃至図２３を参照して細隙灯顕微鏡１の光学系の構成について説明する。
【００４７】
図１７は、細隙灯顕微鏡１の光学構成の概略を示すものであり、この細隙灯顕微鏡１は、照明系６がプリズム１２の下部に設けられた構成であり、被検眼Ｅに対峙させるプリズム１２の下側に配置した照明系６と、プリズム１２に関して照明系６と直交配置した観察系７と、前記カメラアタッチメント１６及び撮像機器１３とを有している。
【００４８】
前記照明系６は、ハロゲンランプ等の光源５１と、この光源５１からの光を集光するコンデンサレンズ５２と、赤外線カットフィルタ５３と、色温度変換フィルタ５４と、光路を９０度上方に曲げるミラー５５と、光の一部のみを通過させる細隙（スリット）５６と、リレーレンズ５７と、被検眼Ｅの眼底観察時に使用するフレアーカット用の光束絞り部（詳細は後述する）５８とを有し、光束絞り部５８の上部に前記プリズム１２を配置した構成となっている。
【００４９】
前記観察系７は、前記プリズム１２と、対物レンズ３１と、変倍光学系３２と、集光レンズ３３と、リレーレンズ３５と、光路を接眼鏡筒９ａ側に変更するプリズム３６と、接眼鏡筒９ａに配置した接眼レンズ３７とを具備し、被検眼Ｅの像を図２に示す結像点Ｐに結像し、検者眼Ｅ0 により観察可能とするようになっている。また、前記カメラアタッチメント１６は、観察系７の光路内に挿入されるビームスプリッタ３４と、このビームスプリッタ３４により分岐される光束を集光する集光レンズ４１と、この集光レンズ４１からの光束を９０度直角に曲げて撮像機器１３導くミラー４２とを有している。
【００５０】
前記被検眼Ｅの眼底観察時には、図１７に点線で示すように前記プリズム１２と、被検眼Ｅとの間に前置レンズ５９が図示しないアタッチメントにより配置される。
【００５１】
次に、前記光束絞り部５８の詳細を図１８乃至図２３を参照して説明する。
【００５２】
光束絞り部５８は、図１８、図１９に示すように上部に開口８１ａを有する円筒カム支持筒８１の内側に円筒状のカム筒９１を、円筒カム支持筒８１の外側に円筒状の絞り操作筒１０１を、各々照明系６の光路を中心とする配置とした重合構造となっている。
【００５３】
円筒カム支持筒８１の下部には取り付け用環状部８２が形成されている。また、円筒カム支持筒８１の上部壁面には図２０に示すように縦穴、横穴を連続させたＬ状のカム穴８３と、図１８に示す縦穴８４が穿設されている。
【００５４】
さらに、円筒カム支持筒８１の内側上部には図１８、図１９に示すように照明系６の光路を中心として一定間隔を隔てかつ対称配置に一対の回動支持軸８５ａ、８５ｂが水平状態で回動可能に配置されている。さらに一対の回動支持軸８５ａ、８５ｂとは直交する状態で一定間隔を隔てかつ対称配置に別の一対の回動支持軸８６ａ、８６ｂが水平状態で回動可能に配置されている。
【００５５】
前記一対の回動支持軸８５ａ、８５ｂには、各々略矩形状の一対の下側絞り板８７ａ、８７ｂが対向配置に取り付けられている。同様に前記一対の回動支持軸８６ａ、８６ｂには、各々略矩形状の一対の上側絞り板８８ａ、８８ｂが対向配置に取り付けられている。一対の上側絞り板８８ａ、８８ｂは、一対の下側絞り板８７ａ、８７ｂの上面側に接する配置となっており、また、一対の上側絞り板８８ａ、８８ｂは、一対の下側絞り板８７ａ、８７ｂよりも各々小寸法に形成されている。
【００５６】
前記一対の下側絞り板８７ａ、８７ｂ、一対の上側絞り板８８ａ、８８ｂが図１９に示すように重合した状態（絞り状態）では、照明系６の光束を図１９に示す斜線の範囲に絞るように構成している。尚、図１８において、８９はコイルばねである。
【００５７】
円筒状のカム筒９１は、図２１乃至図２３に示すように、上辺中央部に長方形状の光束通過穴９２を備えている。そして光束通過穴９２の長辺の両側には対称配置に一対の押し上げ片９３ａ、９３ｂを上方に向けて突設している。
【００５８】
さらに、上辺外周部には対称配置（１８０度対称配置）に一対の連結用突部９４ａ、９４ｂを設けている。一対の連結用突部９４ａ、９４ｂに各々水平方向に係合孔９５ａ、９５ｂを設けている。
【００５９】
そして前記絞り操作筒１０１とカム筒９１とを、図１８に示すように絞り操作筒１０１の壁面に取り付けた一方の係合ピン９６を前記Ｌ状のカム穴８３を貫通して係合孔９５ａに係合させ、絞り操作筒１０１の壁面に取り付けた他方の係合ピン９７を前記縦穴８４を貫通させて係合孔９５ａに係合させている。
【００６０】
このような構成により、前記絞り操作筒１０１を円筒カム支持筒８１の外周に沿って図１８に示す状態から上方に持ち上げ、かつ、前記カム穴８３の横穴寸法分だけ絞り操作筒１０１を水平方向に回動することにより、前記一対の押し上げ片９３ａ、９３ｂが一対の下側絞り板８７ａ、８７ｂ、さらには一対の上側絞り板８８ａ、８８ｂを各々上方向へ回動させ図１９に示す照明系６の光束の絞り状態の配置とすることができる。この絞り状態の配置は、前記前置レンズ５９を被検眼Ｅの眼前に配置し、被検眼Ｅの眼底観察を行う際のフレア防止のために行うものである。
【００６１】
上述した場合とは逆の操作で前記絞り操作筒１０１を図１８に示す状態（絞り解除状態）に戻した場合には、照明系６の光束は絞られることなくプリズム１２を経て被検眼Ｅに照射され、これにより被検眼Ｅの角膜の細隙像を観察することが可能となる。
【００６２】
尚、上述した本実施の形態のケーブル類としては、信号伝送ケーブル２３、画像モニタケーブル２４、電源ケーブル２５の他、撮像機器１３の制御を行う制御ケーブル等、種々のケーブルが用いられ、また、各ケーブル類の端子構造もコネクタ、プラグ、ピン、ＵＳＢ端子等種々の形態のものが使用される。
【００６３】
【発明の効果】
本発明によれば、検者の操作性の向上を図ることができ、被検者の煩雑感、不快感も低減でき、外観体裁の向上を図ることができる眼科装置を提供することができる。また、種々の撮像機器に対応でき、ケーブル類の折れ曲がり、損傷を防止することができる眼科装置を提供することができる。
【図面の簡単な説明】
【図１】本発明の実施の形態の細隙灯顕微鏡の構成を示す示す概略側面図である。
【図２】本実施の形態の細隙灯顕微鏡の観察系に取り付けた撮像機器の斜視図である。
【図３】本実施の形態の上カバー、下カバーを支持アームの表側に取り付けた状態を示す斜視図である。
【図４】本実施の形態の上カバーのみを支持アームの表側に取り付けた状態を示す斜視図である。
【図５】本実施の形態の上カバー、下カバー双方を支持アームに取り付ける前の状態を示す斜視図である。
【図６】本実施の形態の支持アームの表側の収容溝及び上カバー用の受具を示す拡大図である。
【図７】本実施の形態の上カバーの他例を示す斜視図である。
【図８】本実施の形態の細隙灯顕微鏡の支持アームからテーブル下方に至るケーブル通過処理路を示す概略斜視図である。
【図９】本実施の形態の基台の斜視図である。
【図１０】本実施の形態の基台の平面図である。
【図１１】本実施の形態の基台に対して支持アームを左側に回動した状態を示す部分斜視図である。
【図１２】本実施の形態の細隙灯顕微鏡の基台からテーブル下方に至るケーブル通過処理路を示す概略斜視図である。
【図１３】本実施の形態の顎受け台の基部を示す平面図である。
【図１４】図１３のＡ−Ａ線断面図である。
【図１５】図１３のＢ−Ｂ線断面図である。
【図１６】本実施の形態のテーブルの部分拡大図である。
【図１７】本実施の形態の細隙灯顕微鏡の光学系の概略構成図である。
【図１８】本実施の形態の照明系における光束絞り部の概略拡大断面図である。
【図１９】本実施の形態の光束絞り部の横断面図である。
【図２０】本実施の形態の光束絞り部の円筒カム支持筒の側面図である。
【図２１】本実施の形態の光束絞り部のカム筒の平面図である。
【図２２】本実施の形態の光束絞り部のカム筒の側面図である。
【図２３】図２１のＣ−Ｃ線断面図である。
【符号の説明】
１  細隙灯顕微鏡
２  テーブル
３  移動機構部
４  基台
４ａ  突出軸筒部
５  操作ハンドル
６  照明系
６ａ  光源部
７  観察系
９  鏡筒本体
９ａ  接眼鏡筒
１０  顎受け台
１０ａ  顎受部
１０ｂ  額当て
１０ｃ  基部
１１  架台
１２  プリズム
１３  撮像機器
１４  支持アーム
１４ａ  収容溝
１４ｂ  受段部
１５  電源ボックス
１６  カメラアタッチメント
２０  画像処理装置
２１  画像モニタ
２２  電源装置
２３  信号伝送ケーブル
２４  画像モニタケーブル
２５  電源ケーブル
２７  光量調整用ケーブル
２８  通過穴
２９  通過穴
６０  ケーブル通過処理路
６１  着脱カバー
【図１】
0003750935.tif 000002
【図２】
0003750935.tif 000003
【図３】
0003750935.tif 000004
【図４】
0003750935.tif 000005
【図５】
0003750935.tif 000006
【図６】
0003750935.tif 000007
【図７】
0003750935.tif 000008
【図８】
0003750935.tif 000009
【図９】
0003750935.tif 000010
【図１０】
0003750935.tif 000011
【図１１】
0003750935.tif 000012
【図１２】
0003750935.tif 000013
【図１３】
0003750935.tif 000014
【図１４】
0003750935.tif 000015
【図１５】
0003750935.tif 000016
【図１６】
0003750935.tif 000017
【図１７】
0003750935.tif 000018
【図１８】
0003750935.tif 000019
【図１９】
0003750935.tif 000020
【図２０】
0003750935.tif 000021
【図２１】
0003750935.tif 000022
【図２２】
0003750935.tif 000023
【図２３】
0003750935.tif 000024